(57)【要約】【課題】高額な機器を使用せずに、簡易に漂流物の位置を表示して、回収船に位置情報を提供できる案内方法及び漂流物の回収案内装置を提供する。【解決手段】浮力を有して面情報を発信するＧＰＳ発信装置と、浮力を有して点情報を発信する発光装置と、前記のＧＰＳ発信装置と、発光装置とを漂流物に取り付ける連結部材とによって回収案内装置を構成する。漂流物に上記の連結部材で上記の回収案内装置を取り付けて漂流物を回収する船舶の到着の案内を行う。【選択図】図２
2019199101.tif 000002
【特許請求の範囲】
【請求項１】
浮力を有して面情報を発信するＧＰＳ発信装置と、
浮力を有して点情報を発信する発光装置と、
前記のＧＰＳ発信装置と、発光装置とを漂流物に取り付ける連結部材とによって回収案内装置を構成し、
漂流物に上記の連結部材で上記の発信装置と発光装置を取り付けて、
回収案内装置によって、漂流物を回収する船舶の到着の案内を行うことを特徴とする、
漂流物の回収案内方法。
【請求項２】
連結部材として、投網を採用したことを特徴とする、請求項１記載の漂流物の回収案内方法。
【請求項３】
連結部材として、フック付きのロープを採用したことを特徴とする、請求項１記載の漂流物の回収案内方法。
【請求項４】
連結部材として、メインロープの途中から複数の枝ロープを分岐させ、各枝ロープの先端にフックを取り付けたものを採用したことを特徴とする、請求項１記載の漂流物の回収案内方法。
【請求項５】
連結部材として、水中銃で打ち込むシャフトとスリングとを採用したことを特徴とする、請求項１記載の漂流物の回収案内方法。
【請求項６】
浮力を有して面情報を発信するＧＰＳ発信装置と、
浮力を有して点情報を発信する発光装置と、
前記のＧＰＳ発信装置と、発光装置とを漂流物に取り付け可能な連結部材と、を備えることを特徴とする、
漂流物の回収案内装置。
【発明の詳細な説明】
【技術分野】
【０００１】
本発明は漂流物の回収案内方法及び漂流物の回収案内装置に関するものである。
【背景技術】
【０００２】
海上には多くの漂流物が浮遊、移動しているが、巨木や破損した木造船、あるいは転覆した船舶から流出したコンテナなどは船舶の航行の障害となる。
特許文献１には、漂流コンテナの捜索方法が開示されている。
【先行技術文献】
【特許文献】
【０００３】
【特許文献１】特開２０１７−３５９５１号公報
【発明の概要】
【発明が解決しようとする課題】
【０００４】
前記の特許文献１に記載された漂流コンテナの捜索方法にあっては、次のような問題点がある。
＜１＞位置の情報を発信するブイをコンテナに磁石で取り付け、その信号を頼りに回収用のクレーン船などが捜索を行う方法であるが、漂流中にコンテナが沈没してしまっても、ブイに蓄積した信号を解析して漂流経路を把握して沈没位置を特定できるので、回収の可能性を高めることができる、という技術思想である。
＜２＞確かに海難事故でコンテナが海上にばらまかれてしまうと二次災害の発生を避けるだけでなく、高価な品物を収納しているコンテナを回収するという目的を達成するには適した発明であると思われる。そうであればその対応には複雑で高価な装置を使用しても採算が取れるのかもしれない。
＜３＞しかし実際にコンテナがばらまかれるような海難事故はめったに発生するものではない。それよりは流木や漁業用の網、日本海で頻繁に発生する難破船、などの漂流物の対策の方がより重要である。
＜４＞そのような漂流物の発生頻度は高いから、その対策として１件ごとに複雑で高価な装置を使用することは困難である。
【課題を解決するための手段】
【０００５】
本願発明は上記のような課題を解決するためになされたもので、本発明の漂流物の回収案内方法は、浮力を有して面情報を発信するＧＰＳ発信装置と、浮力を有して点情報を発信する発光装置と、前記のＧＰＳ発信装置と、発光装置とを漂流物に取り付ける連結部材とによって回収案内装置を構成し、漂流物に上記の連結部材で上記の発信装置と発光装置を取り付けて、回収案内装置によって、漂流物を回収する船舶の到着の案内を行うことを特徴とするものである。
また本発明の漂流物の回収案内方法は、上記の連結部材として、フック付きのロープを採用したことを特徴とするものである。
また本発明の漂流物の回収案内方法は、上記の連結部材として、メインロープの途中から複数の枝ロープを分岐させ、各枝ロープの先端にフックを取り付けたものを採用することを特徴とするものである。
更に本発明の漂流物の回収案内方法は、上記の連結部材として、水中銃で打ち込むシャフトとスリングとを採用したことを特徴とするものである。
また本発明の漂流物の回収案内方法は、上記の連結部材として、押し棒の先端からフックが側面に向けて飛び出す手銛を採用したことを特徴とするものである。
本発明の漂流物の回収案内装置は、浮力を有して面情報を発信するＧＰＳ発信装置と、浮力を有して点情報を発信する発光装置と、前記のＧＰＳ発信装置と、発光装置とを漂流物に取り付け可能な連結部材と、を備えることを特徴とする。
【発明の効果】
【０００６】
本発明の漂流物の回収案内方法及び漂流物の回収案内装置は以上説明したようになるから次のような効果の少なくともひとつを得ることができる。
＜１＞技術の発達で現在では安価なＧＰＳ発信装置と、やはり安価な発光装置を漂流物に取りつけるだけであるから、経済的な負担が軽微で多数の漂流物に対処することができる。
＜２＞漂流物の回収のためのクレーン船などは、まず遠方から把握しやすい面としての情報を発信するＧＰＳ装置によって概略の範囲を把握する。次に点情報を発信する発光装置によって漂流物そのものに接近することができる。このように本発明の回収案内装置は面情報と点情報を備えているために、安価な装置を利用して個別には弱い情報であっても、両者の弱点を補って経済的に回収の案内を行うことができる。
＜３＞本発明は、船舶が漂流物に衝突するような災害の発生を防止するためのものであり、水面下に沈下した漂流物を回収する方法ではない。したがって、回収する専用船の到着するまでに漂流物が沈下してしまったら航行の障害は除去されたことになり回収は不要である。そのために特許文献１記載のような、経済価値のあるコンテナを回収するために沈下地点を追いかけるといった高度な技術は必要ではなく、市販の簡易な装置の活用によって目的を達成することができる。
【図面の簡単な説明】
【０００７】
【図１】漂流物へ回収案内装置を取り付ける状態の説明図
【図２】漂流物は回収案内装置を取り付けた状態の説明図
【図３】回収案内装置を漂流物に取り付けるための連結装置の実施例の説明図。
【発明を実施するための形態】
【０００８】
以下図面を参照にしながら本発明の漂流物の回収案内方法及び漂流物の回収案内装置の好適な実施の形態を詳細に説明する。
【実施例】
【０００９】
＜１＞全体の構成。
本発明の漂流物２の回収案内方法は、回収の専用船の到着の際に、漂流物２の位置を案内する回収案内装置１を利用して行う方法である。
そしてこの回収案内装置１は、ＧＰＳ発信装置１２と、発光装置１１と、連結部材１３によって構成する。
【００１０】
＜２＞ＧＰＳ発信装置。
浮力を有して面情報を発信するＧＰＳ発信装置１２として、プラスチック製、あるいは発泡スチロールロース製などの浮体にＧＰＳ発信装置１２を取り付けて構成する。
位置信号を発信するＧＰＳ発信装置１２は、車両追跡発信装置や、子供の安全のための位置発信装置として安価に市販されている。
さらに本発明の場合には発光装置１１との組み合わせで回収船を案内するので、ＧＰＳ発信装置１２は概略の範囲を面として発信できればよく、強力な電源が不要なためさらに安価で機能の安定した装置を活用することができる。
【００１１】
＜３＞発光装置。
浮力を有して点情報を発信する発光装置１１として、やはりプラスチック製などの浮体に電池式の発光体を取り付けて構成する。
例えば４秒に１回点灯するような発光装置１１では単一電池で３ヶ月発光を続けるような装置が安価に市販されている。
上記のＧＰＳ発信装置１２と、発光装置１１は、同一の浮体に搭載する。
【００１２】
＜４＞連結部材。
前記の回収案内装置１、すなわちＧＰＳ発信装置１２と、発光装置１１とを漂流物２に取り付けるためには、連結部材１３が必要である。
そのために、連結部材１３として例えば、先端にフック１３ｂを付けた数メートルのロープ１３ａを採用することができる。
このロープ１３ａを、クレーンなどの回収装置を持たない、小型で走行速度の早い監視船３から漂流物２に投げてフック１３ｂを引っ掛け、監視船３までたぐり寄せるように使用するものである。
あるいは連結部材１３として、「サビキ釣り」に利用するような、メインロープ１３ｃの途中から複数の枝ロープ１３ｄを分岐させ、各枝ロープ１３ｄの先端にフック１３ｂを取り付けたものを使用することができる。メインロープ１３ｃを遠方に投擲しやすいように、メインロープの先端には重り１３ｅを取り付けおく。（図３）
また、連結部材１３として投網を利用することもできる。
あるいは、連結部材１３としてゴムの弾力で銛を漂流物２に打ち込む水中銃を採用することができる。その銛には尾端にロープが着いており、ロープの他端に回収案内装置１を接続して使用する。
あるいは人力で投擲する手銛を採用することができる。手銛の先端からフックが側面に向けて飛び出すことで、漂流物２の確保を確実にする。
【００１３】
＜５＞回収方法。
一部を前記したように本発明の回収案内装置１は、大型のクレーン船などではなく、広範な海域を迅速に走行して漂流物２を見つける、小型で速度が早い監視船３などが装備する。
監視船３から双眼鏡などで漂流物２を発見したらすぐ近くまで接近する。
【００１４】
＜６＞漂流物への取り付け。
漂流物２に接近したら、連結部材１３で回収案内装置１、すなわちＧＰＳ発信装置１２と発光装置１１を取り付ける。
その方法として、先端にフック１３ｂ付きのロープ１３ａを投げて監視船３の近くまで手繰り寄せ、漂流物２を海中で回転させてロープ１３ａを絡めて回収案内装置１を取り付けることができる。
図３に示すような、メインロープ１３ｃの途中から複数の枝ロープ１３ｄを分岐させ、各枝ロープ１３ｄの先端にフック１３ｂを取り付けたものを使用すると、波にもまれることで複雑に絡みつくので、捕獲が確実となる。
フック１３ｂ付きのロープ１３ａに代えて、漁業用の市販の投網を利用することができる。
あるいは、連結部材１３としてゴムの弾力で銛を漂流物２に打ち込む水中銃を採用することができる。その銛には尾端にロープが着いており、ロープの他端に回収案内装置１を接続して使用する。
あるいは人力で投擲する手銛を採用することができる。手銛の先端からフックが側面に向けて飛び出すことで、漂流物２の確保を確実にする。
したがって監視船３からの作業に限らず、岸壁からでも同様の作業を行うことができる。
その後、ロープ１３ａの他端に取り付けたＧＰＳ発信装置１２と発光装置１１を海面におろして監視船３としての役割は終わる。
漂流物２に取り付けた発光装置１１は例えば４秒に１回の点灯を行うから、衝突警告機能も備えていることになる。
監視船３はその後、海上保安部などに通報して次の漂流物２の監視、発見作業に戻る。
海上保安部などではその連絡を受けて、クレーン船など漂流物２を回収する船舶を派遣する。
その回収船は案内装置１のＧＰＳ発信信号にしたがって漂流物２の概略の位置に到達することがきる。
【００１５】
＜７＞発信装置と発光装置の機能。
ＧＰＳ発信装置１２からは一定の範囲の「面」としての位置情報を発信しているので、回収船は漂流物２の付近まで接近することができる。
その後、発光装置１１が「点」として、漂流物２そのものの位置情報を発信しているので回収船は目視によって漂流物２に接近してクレーンなどで漂流物２を回収して、航路の安全を図る。
なお、理論的にはＧＰＳ発信装置１２のみで回収船が漂流物２に接近できるはずである。
しかし本発明に利用するＧＰＳ発信装置１２は数万円代のものを予定している。その程度のＧＰＳ発信装置１２では、誤差が最大で５０ｍ程度発生する可能性がある。そこで漂流物２を「点」として表示する発光装置１１を併用することで経済的な回収案内装置１を構成することができる。
その経済性とは別に、漂流物が水面の直下にある場合、危険であるにもかかわらずＧＰＳ発信装置１２だけでは発見が困難である。その場合にも漂流物を「点」として示す発光装置１１の存在価値がある。
またＧＰＳ発信装置は充電式なので電波は１分間に１回程度しか発信することができない。波が強いと１分間でかなりの距離、流されるので、その点でも、例えば単一乾電池で３か月間、４秒に１回発光を続けるような経済的な発光装置の存在価値がある。
【符号の説明】
【００１６】
１    回収案内装置
１１  発光装置
１２  ＧＰＳ発信装置
１３  連結装置
２    漂流物
３    監視船
【図１】
2019199101.tif 000003
【図２】
2019199101.tif 000004
【図３】
2019199101.tif 000005
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
浮力を有して面情報を発信するＧＰＳ発信装置と、
浮力を有して点情報を発信する発光装置と、
前記のＧＰＳ発信装置と、発光装置とを漂流物に取り付ける連結部材とによって回収案内装置を構成し、
連結部材が、投網、メインロープの途中から分岐した複数の枝ロープの先端にフックを取り付けたもの、または、水中銃で打ち込むシャフトとスリング、であり、
漂流物に上記の連結部材で上記の発信装置と発光装置を取り付けて、
回収案内装置によって、漂流物を回収する船舶の到着の案内を行うことを特徴とする、
漂流物の回収案内方法。
【請求項２】
浮力を有して面情報を発信するＧＰＳ発信装置と、
浮力を有して点情報を発信する発光装置と、
前記のＧＰＳ発信装置と、発光装置とを漂流物に取り付け可能な連結部材と、を備え、
連結部材が投網であることを特徴とする、
漂流物の回収案内装置。
【請求項３】
浮力を有して面情報を発信するＧＰＳ発信装置と、
浮力を有して点情報を発信する発光装置と、
前記のＧＰＳ発信装置と、発光装置とを漂流物に取り付け可能な連結部材と、を備え、
連結部材がメインロープの途中から分岐した複数の枝ロープの先端にフックを取り付けたものであることを特徴とする、
漂流物の回収案内装置。
【請求項４】
浮力を有して面情報を発信するＧＰＳ発信装置と、
浮力を有して点情報を発信する発光装置と、
前記のＧＰＳ発信装置と、発光装置とを漂流物に取り付け可能な連結部材と、を備え、
連結部材が水中銃で打ち込むシャフトとスリング、であることを特徴とする、
漂流物の回収案内装置。
【手続補正２】
【補正対象書類名】明細書
【補正対象項目名】０００５
【補正方法】変更
【補正の内容】
【０００５】
本願発明は上記のような課題を解決するためになされたもので、本発明の漂流物の回収案内方法は、浮力を有して面情報を発信するＧＰＳ発信装置と、浮力を有して点情報を発信する発光装置と、前記のＧＰＳ発信装置と、発光装置とを漂流物に取り付ける連結部材とによって回収案内装置を構成し、連結部材が、投網、メインロープの途中から分岐した複数の枝ロープの先端にフックを取り付けたもの、または、水中銃で打ち込むシャフトとスリング、であり、漂流物に上記の連結部材で上記の発信装置と発光装置を取り付けて、回収案内装置によって、漂流物を回収する船舶の到着の案内を行うことを特徴とするものである。
また、本発明の漂流物の回収案内装置は、浮力を有して面情報を発信するＧＰＳ発信装置と、浮力を有して点情報を発信する発光装置と、前記のＧＰＳ発信装置と、発光装置とを漂流物に取り付け可能な連結部材と、を備え、連結部材が投網、メインロープの途中から分岐した複数の枝ロープの先端にフックを取り付けたもの、または、水中銃で打ち込むシャフトとスリングであることを特徴とするものである。